【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
撮影光学系により形成された被写体の像を光電変換して得られる映像信号のうち一部の周波数成分を抽出し、この周波数成分に応じた第１の信号を生成する第１の信号生成手段と、
前記撮影光学系に含まれるフォーカスレンズの合焦位置への移動量を得るための情報を検出する検出手段と、
前記フォーカスレンズに対して、前記第１の信号に基づく第１の制御および前記検出手段の検出情報に基づく第２の制御を行う制御手段と、
前記映像信号における互いに異なる複数の値の比較値に対応した第２の信号を生成する第２の信号生成手段とを有し、
前記制御手段は、前記第２の信号に基づいて前記第１および第２の制御のうち一方を選択することを特徴とするフォーカス制御装置。
【請求項２】
前記第２の信号は、前記映像信号における互いに異なる複数の周波数成分の比に応じた信号であることを特徴とする請求項１に記載のフォーカス制御装置。
【請求項３】
前記第２の信号は、前記映像信号の合焦度を示す信号であることを特徴とする請求項１又は請求項２に記載のフォーカス制御装置。
【請求項４】
前記制御手段は、前記第２の信号が閾値より大きい場合は前記第１の制御を行い、前記第２の信号が閾値より小さい場合は前記第２の制御を行うことを特徴とする請求項１乃至請求項３のいずれか１項に記載のフォーカス制御装置。
【請求項５】
撮影光学系により形成された被写体の像を光電変換して得られる映像信号のうち一部の周波数成分を抽出し、この周波数成分に応じた第１の信号を生成する第１の信号生成手段と、
前記撮影光学系に含まれるフォーカスレンズの合焦位置への移動量を得るための情報を検出する検出手段と、
前記フォーカスレンズに対して、前記第１の信号に基づく第１の制御および前記検出手段の検出情報に基づく第２の制御を行う制御手段と、
前記第１の信号の変化量の変化を示す第２の信号を生成する第２の信号生成手段とを有し、
前記制御手段は、前記第２の信号に基づいて前記第１および第２の制御のうち一方を選択することを特徴とするフォーカス制御装置。
【請求項６】
前記制御手段は、前記第２の信号の符号が負の場合は前記第１の制御を行い、前記第２の信号の符号が正の場合は前記第２の制御を行うことを特徴とする請求項５に記載のフォーカス制御装置。
【請求項７】
撮影光学系により形成された被写体の像を光電変換して得られる映像信号のうち一部の周波数成分を抽出し、この周波数成分に応じた第１の信号を生成する第１の信号生成手段と、
前記撮影光学系に含まれるフォーカスレンズの合焦位置への移動量を得るための情報を検出する検出手段と、
前記フォーカスレンズに対して、前記第１の信号に基づく第１の制御および前記検出手段の検出情報に基づく第２の制御を行う制御手段と、
前記第１の信号を正規化して、第２の信号を生成する第２の信号生成手段とを有し、
前記制御手段は、前記第２の信号に基づいて、前記第１および第２の制御のうち一方を選択することを特徴とするフォーカス制御装置。
【請求項８】
請求項１乃至請求項７のいずれか１項に記載のフォーカス制御装置と、
前記被写体像を光電変換する撮像素子とを有することを特徴とする撮影装置。
【手続補正２】
【補正対象書類名】明細書
【補正対象項目名】００１０
【補正方法】変更
【補正の内容】
【００１０】
また、上述従来例（特許文献３）では、被写体に依存して大幅に変化しやすいＡＦ評価値の値だけで一律に２つのＡＦ方式を切り換えているので、合焦位置から遠い位置で切り替わったり、近くの位置で切り替わったりして、不安定なフォーカス制御となってしまう。
【手続補正３】
【補正対象書類名】明細書
【補正対象項目名】００１２
【補正方法】変更
【補正の内容】
【００１２】
本発明のフォーカス制御装置は、撮影光学系により形成された被写体の像を光電変換して得られる映像信号のうち一部の周波数成分を抽出し、この周波数成分に応じた第１の信号を生成する第１の信号生成手段と、前記撮影光学系に含まれるフォーカスレンズの合焦位置への移動量を得るための情報を検出する検出手段と、フォーカスレンズに対して、第１の信号に基づく第１の制御および検出手段の検出情報に基づく第２の制御を行う制御手段と、映像信号における互いに異なる複数の値の比較値に応じた第２の信号を生成する第２の信号生成手段とを有する。
【手続補正４】
【補正対象書類名】明細書
【補正対象項目名】００１３
【補正方法】変更
【補正の内容】
【００１３】
そして、制御手段は、第２の信号に基づいて第１及び第２の制御のうち一方を選択することを特徴とする。
【手続補正５】
【補正対象書類名】明細書
【補正対象項目名】００１４
【補正方法】変更
【補正の内容】
【００１４】
本発明によれば、映像信号における互いに異なる複数の値の比較値に応じた第２の信号に基づいてハイブリットＡＦのフォーカス制御方式を切り換えるため、スムーズで高速なフォーカス制御が可能なフォーカス制御装置を実現できる。
【手続補正６】
【補正対象書類名】明細書
【補正対象項目名】００１７
【補正方法】変更
【補正の内容】
【００１７】
本実施例の撮影装置は、カメラ本体１０２と、カメラ本体１０２に装着されるレンズユニット２０１とを有している。なお、本実施例のレンズユニット２０１はカメラ本体１０２に着脱可能に構成してもよく、一体型に構成してもよい。また、本実施例の撮影装置としては、動画や静止画を撮影してテープや固体メモリ、光ディスクや磁気ディスク等のさまざまな記憶媒体に記録可能なビデオカメラやデジタルカメラ等が考えられる。
【手続補正７】
【補正対象書類名】明細書
【補正対象項目名】００１８
【補正方法】変更
【補正の内容】
【００１８】
レンズユニット２０１には、光軸方向に移動して撮影光学系の焦点距離を変更可能なズームレンズ２１１、光軸方向に移動して焦点調節を行うフォーカスレンズ２３１、被写体の輝度に応じて、像面に入射する光量を調節する光量調節部材（絞り）２０３が設けられている。また、図示していないが各レンズを複数枚で構成したり、固定レンズ等を設けて撮影光学系を構成してもよい。また、ズームレンズ２１１は、ズーム制御回路２１３を介してズームモータ２１２により駆動され、フォーカスレンズ２３１は後述のフォーカス制御回路２３３を介してフォーカスモータ２３２により駆動される。
【手続補正８】
【補正対象書類名】明細書
【補正対象項目名】００２７
【補正方法】変更
【補正の内容】
【００２７】
電源管理ユニット２５８は、これに接続されたバッテリー２５９の電源状態をチェックしたり、バッテリーを充電したりする電源管理をおこなう。
【手続補正９】
【補正対象書類名】明細書
【補正対象項目名】００３０
【補正方法】変更
【補正の内容】
【００３０】
図２は、ＡＦ信号処理回路２３４の詳細説明図である。撮像信号処理回路２４２からの撮像信号ＴＶＳは、一つまたは複数の測距ゲート３０１にて画面内の一部のみの撮像信号を抽出し、バンドパスフィルタ（ＢＰＦ）３０２で所定の高周波成分のみを抽出し、検出（検波）部（ＤＥＴ）３０３でピークホールドや積分等の処理を行うことで、ＡＦ評価値ＦＶを出力し、フォーカス制御回路２３３へ出力する。
【手続補正１０】
【補正対象書類名】明細書
【補正対象項目名】００３１
【補正方法】変更
【補正の内容】
【００３１】
そして、測距ゲート３０１を通過した一方の撮像信号ＴＶＳは、バンドパスフィルタ（ＢＰＦ１）６０１とバンドパスフィルタ（ＢＰＦ２）６０２で、それぞれ所定の高域周波成分のみを抽出し、検出部６０３、６０４でピークホールドや積分等の処理を行い、除算部６０５にてＢＰＦ１／ＢＰＦ２、すなわち撮像信号の周波数成分の比を求めることで、測距枠ごとの合焦度ＩＦＡを算出する。なお、ＢＰＦ１の周波数は、ＢＰＦ２の周波数よりも高い周波数を抽出するように特性を選定する。また、測距ゲート３０１が複数の場合は、それに続く回路も複数になり、ＡＦ評価値ＦＶや合焦度ＩＦＡも複数の信号になり、フォーカス制御回路２３３において、複数の信号から条件に応じて選択したり、複数の信号に基づいてフォーカス動作を行ったりする。
【手続補正１１】
【補正対象書類名】明細書
【補正対象項目名】００３３
【補正方法】変更
【補正の内容】
【００３３】
そして、図３に示すようにＡＦ評価値ＦＶは、被写体の種類や撮影条件（被写体輝度、照度、焦点距離等）により大幅に合焦点での値が変化する。図３のＡＦ評価値ＦＶ（Ａ）は、一般的な被写体Ａを撮影した場合の非合焦（大ボケ）から合焦点までフォーカスレンズ２３１を動かしたときの信号の変化を表している。一方、ＡＦ評価値ＦＶ（Ｂ）は高コントラスト被写体Ｂの場合の信号変化で、ＡＦ評価値ＦＶ（Ｃ）は低コントラスト被写体や低照度被写体Ｃの場合の信号変化である。
【手続補正１２】
【補正対象書類名】明細書
【補正対象項目名】００４４
【補正方法】変更
【補正の内容】
【００４４】
よって、最適な切換ポイントで２つのＡＦ方式の切り換えと高精度の合焦点の検出が可能となり、スムーズで高速なフォーカス制御が可能なフォーカス制御装置及び光学機器、撮影装置を実現できる。
【手続補正１３】
【補正対象書類名】明細書
【補正対象項目名】００４６
【補正方法】変更
【補正の内容】
【００４６】
図５に本発明の実施例２を示す。本実施例は上記実施例１の合焦度ＩＦＡの算出処理において、より精度が高い合焦度ＩＦＡを算出している。図５はＡＦ信号処理回路２３４の詳細説明図である。
【手続補正１４】
【補正対象書類名】明細書
【補正対象項目名】００４７
【補正方法】変更
【補正の内容】
【００４７】
撮像信号処理回路２４２からの撮像信号ＴＶＳは、一つまたは複数の測距ゲート３０１にて画面内の一部のみの撮像信号を抽出し、実施例１と同様にバンドパスフィルタ（ＢＰＦ）３０２で所定の高周波成分のみを抽出し、検出（検波）部（ＤＥＴ）３０３でピークホールドや積分等の処理を行うことで、ＡＦ評価値ＦＶを出力し、フォーカス制御回路２３３へ出力する。
【手続補正１５】
【補正対象書類名】図面
【補正対象項目名】図１
【補正方法】変更
【補正の内容】
【図１】
2006003428.tif 000001
【手続補正１６】
【補正対象書類名】図面
【補正対象項目名】図５
【補正方法】変更
【補正の内容】
【図５】
2006003428.tif 000002